(57)【要約】      （修正有）【課題】ホワイトニング剤を効果的に活性化させ、歯に付着したステインをホワイトニング剤で効率よく分解するとともに、ホワイトニングを安全に行うことが可能なホワイトニング用光照射装置を提供する。【解決手段】遠赤外線を照射する照射部２と、該照射部２に一端が接続されたアーム部３と、該アーム部３の他端が接続され、外部に取り付け可能な取付部４とを備える。照射部２は、遠赤外線と可視光とが混合した混合光を照射することができる。また、可視光は、波長が４３０ｎｍ以上４９０ｎｍ以下である。さらに、照射部２の内部には、遠赤外線を発するＬＥＤ又は／及び可視光を発するＬＥＤが設けられてもよい。【選択図】図１
0003209729.tif 000002
【実用新案登録請求の範囲】
【請求項１】
遠赤外線を照射する照射部と、
該照射部に一端が接続されたアーム部と、
該アーム部の他端が接続され、外部に取り付け可能な取付部とを備えることを特徴とするホワイトニング用光照射装置。
【請求項２】
前記照射部は、遠赤外線と可視光とが混合した混合光を照射することを特徴とする請求項１に記載のホワイトニング用光照射装置。
【請求項３】
前記可視光は、波長が４３０ｎｍ以上４９０ｎｍ以下であることを特徴とする請求項２に記載のホワイトニング用光照射装置。
【請求項４】
前記照射部の内部には、前記遠赤外線を発するＬＥＤ又は／及び前記可視光を発するＬＥＤが設けられたことを特徴とする請求項２又は３に記載のホワイトニング用光照射装置。
【考案の詳細な説明】
【技術分野】
【０００１】
本考案は、歯科医院やホワイトニングサロン等で歯のホワイトニングに用いられるホワイトニング用光照射装置に関する。
【背景技術】
【０００２】
歯科医院では、正常でない歯を治療するだけでなく、正常な歯をよりきれいにするためにホワイトニングが行われている。さらに、近年では、歯科医院で歯科医が患者に対してホワイトニングを行うだけでなく、ホワイトニングサロンで自分の歯を自分でホワイトニングする、いわゆるセルフホワイトニングが広まっている。
【０００３】
ホワイトニングは、過酸化水素等のホワイトニング剤を口腔内に投入し、口腔内にホワイトニング用光照射装置から可視光を照射することで、口腔内のホワイトニング剤を活性化させ、活性化したホワイトニング剤で歯に付着した汚れ（ステイン）を分解することにより行う（特許文献１参照）。
【先行技術文献】
【特許文献】
【０００４】
【特許文献１】特開２０１６−２２１１９０号公報
【考案の概要】
【考案が解決しようとする課題】
【０００５】
しかし、可視光はホワイトニング剤をある程度まで活性化できるものの、近年のホワイトニング人気に伴い、より効果的にホワイトニング剤を活性化させ、歯に付着したステインをホワイトニング剤で効率よく分解することが求められている。また、その一方で、ホワイトニングを安全に行うことも従来から継続して要求されている。
【０００６】
本考案は上述の点に鑑みてなされたものであり、その目的は、ホワイトニング剤を効果的に活性化させ、歯に付着したステインをホワイトニング剤で効率よく分解するとともに、ホワイトニングを安全に行うことが可能なホワイトニング用光照射装置を提供することにある。
【課題を解決するための手段】
【０００７】
上記課題を解決するため、本考案にかかるホワイトニング用光照射装置（１）は、遠赤外線を照射する照射部（２）と、該照射部（２）に一端が接続されたアーム部（３）と、該アーム部（３）の他端が接続され、外部に取り付け可能な取付部（４）とを備えることを特徴とする。
【０００８】
本考案のホワイトニング用光照射装置によれば、被使用者の口腔内に照射された遠赤外線が被使用者の口腔内の水分に吸収され、水分に吸収された遠赤外線が水分と共に共振することで水分の内部エネルギーが上昇し、内部エネルギーの上昇に伴って被使用者の口腔内の内部温度が上昇し、被使用者の口腔内に投入されたホワイトニング剤の温度も併せて上昇する。これにより、被使用者の口腔内に投入されたホワイトニング剤が活性化し、活性化したホワイトニング剤で被使用者の歯に付着したステインを効率よく分解することができる。
【０００９】
さらに、本考案のホワイトニング用光照射装置によれば、遠赤外線によってホワイトニング剤は人間の体温程度まで温められるため、ホワイトニング剤が過剰に加熱されるのを防止し、ホワイトニングを安全に行うことができる。
【００１０】
また、本考案のホワイトニング用光照射装置（１）において、前記照射部（２）は、遠赤外線と可視光とが混合した混合光を照射することができる。さらに、前記可視光は、波長が４３０ｎｍ以上４９０ｎｍ以下であってもよい。また、前記照射部（１）の内部には、前記遠赤外線を発するＬＥＤ又は／及び前記可視光を発するＬＥＤが設けられてもよい。
【００１１】
なお、上記の括弧内の符号は、後述する実施形態の対応する構成要素の符号を本考案の一例として示したものである。
【考案の効果】
【００１２】
本考案にかかるホワイトニング用光照射装置によれば、ホワイトニング剤を効果的に活性化させ、歯に付着したステインをホワイトニング剤で効率よく分解するとともに、ホワイトニングを安全に行うことができる。
【図面の簡単な説明】
【００１３】
【図１】本考案の一実施形態にかかるホワイトニング用光照射装置の全体図である。
【図２】図１に示すホワイトニング用光照射装置の照射部を示す部分拡大斜視図である。
【図３】図１に示すホワイトニング用光照射装置の取付部を示す部分拡大斜視図である。
【考案を実施するための形態】
【００１４】
以下、添付図面を参照して本考案の実施形態を詳細に説明する。図１は、本考案の一実施形態にかかるホワイトニング用光照射装置１の全体図である。また、図２は、図１に示すホワイトニング用光照射装置１の照射部２を示す部分拡大斜視図である。さらに、図３は、図１に示すホワイトニング用光照射装置１の取付部４を示す部分拡大斜視図である。
【００１５】
ホワイトニング用光照射装置１は、被使用者に照射する照射部２と、自在に曲がるように構成されたアーム部３と、ホワイトニング用光照射装置１を外部に取り付けるための取付部４とを備える。
【００１６】
照射部２は、基部２ａと、遠赤外線と可視光とを照射する照射口２ｂと、照射口２ｂからの照射のＯＮとＯＦＦとを切り替える操作部２ｃとを備える。なお、遠赤外線とは、波長が３．０μｍ以上１０００μｍ以下の電磁波をいう。また、可視光とは、波長が３８０ｎｍ以上７５０ｎｍ以下の電磁波をいう。さらに、照射口２ｂからの光出力は、例えば、２５００ｍＷ／ｃｍ２とすることができる。また、照射部２の内部には、発光源（不図示）が収容されており、例えば、波長が４３０ｎｍ以上４９０ｎｍ以下である青色光を発するＬＥＤと、遠赤外線を発するＬＥＤとが収容される。また、青色光を発するＬＥＤの電力は、４Ｗ以上５Ｗ以下であることが好ましい。
【００１７】
アーム部３は、一端が照射部２に接続されるとともに他端が取付部４に接続され、照射部２と取付部４とを連結する。また、アーム部３の長さは、ホワイトニング用光照射装置１の大きさや、ホワイトニング用光照射装置１を設ける場所の大きさに応じて適宜決定することができる。
【００１８】
取付部４は、円筒状に形成された基部４ａと、基部４ａを貫通する貫通孔４ｂと、電源コード（不図示）の一端を接続するための接続部４ｃとを備える。取付部４の貫通孔４ｂ内にスタンド等の棒状部が挿入されることで、このスタンド等にホワイトニング用光照射装置１を取り付けることができる。
【００１９】
なお、ホワイトニング用光照射装置１は、重さが４．７ｋｇ程度であることが好ましい。また、ホワイトニング用光照射装置１は、１００Ｖ以上２４０Ｖ以下、５０Ｈｚ以上６０Ｈｚ以下、１．２Ａの電源に対応できることが好ましい。
【００２０】
次に、上記ホワイトニング用光照射装置１の動作について、図１乃至図３を参照しながら詳細に説明する。
【００２１】
まず、歯科医院の歯科医やホワイトニングサロンの施術者等のホワイトニング用光照射装置１の使用者は、歯科医院内の設備におけるスタンド等の棒状部を取付部４の貫通孔４ｂに挿入し、このスタンド等にホワイトニング用光照射装置１を取り付ける。また、電源コードの一端をホワイトニング用光照射装置１の取付部４の接続部４ｃに挿入するとともに、この電源コードの他端に設けられたプラグをコンセントに差し込む。
【００２２】
さらに、使用者は、患者等の被使用者の歯にホワイトニング剤を塗布し、ホワイトニング用光照射装置１の照射部２を被使用者の口腔内に挿入する。
【００２３】
また、使用者は、ホワイトニング用光照射装置１の照射部２における操作部２ｃを操作し、照射部２の照射口２ｂから、青色光と遠赤外線とが混合した混合光を被使用者の口腔内に照射する。なお、この混合光は紫色である。
【００２４】
この混合光が被使用者の口腔内に照射されることで、被使用者の口腔内に照射された遠赤外線が被使用者の口腔内の水分に吸収され、水分に吸収された遠赤外線が水分と共に共振することで水分の内部エネルギーが上昇し、内部エネルギーの上昇に伴って被使用者の口腔内の内部温度が上昇し、被使用者の口腔内に投入されたホワイトニング剤の温度も併せて上昇する。これにより、被使用者の口腔内に投入されたホワイトニング剤が活性化し、活性化したホワイトニング剤で被使用者の歯に付着したステインが効率よく分解される。
【００２５】
また、遠赤外線によってホワイトニング剤は人間の体温程度まで温められるため、ホワイトニング剤が過剰に加熱されるのを防止することができ、ホワイトニングを安全に行うことができる。
【００２６】
ホワイトニング終了後は、使用者はホワイトニング用光照射装置１の照射部２に設けられた操作部２ｃを操作し、照射部２の照射口２ｂから光を照射するのを停止する。さらに、照射部２を被使用者の口腔内から抜き出し、コンセントから電源コードのプラグを抜くとともに電源コードを取付部４の接続部４ｃから外す。さらに、取付部４をスタンド等の棒状部から取り外すことでホワイトニング用光照射装置１をスタンド等から取り外す。
【００２７】
なお、ホワイトニング用光照射装置１で遠赤外線を照射して活性化させるホワイトニング剤として、ポリリン酸を用いるのが好ましい。これにより、被使用者の歯に付着したステインを分解するだけでなく、歯にステインが沈着するのを防止することもできる。また、ポリリン酸は、人間の体内にもともと存在している生体内物質であるため、ホワイトニング剤として安全に使用することができるとともに、遠赤外線によって体温程度まで温められることによりステイン分解機能を最大限発揮することができる。ただし、ポリリン酸以外の薬剤をホワイトニング剤として使用することもでき、例えば、過酸化水素、過酸化窒素、酸化チタン、メタリン酸等を用いることもできる。
【００２８】
以上、本考案の実施形態を説明したが、本考案は、上記実施形態に限定されるものではなく、実用新案登録請求の範囲、及び明細書と図面に記載された技術的思想の範囲内において種々の変形が可能である。
【符号の説明】
【００２９】
１    …ホワイトニング用光照射装置
２    …照射部
２ａ  …基部
２ｂ  …照射口
２ｃ  …操作部
３    …アーム部
４    …取付部
４ａ  …基部
４ｂ  …貫通孔
４ｃ  …接続部
【図１】
0003209729.tif 000003
【図２】
0003209729.tif 000004
【図３】
0003209729.tif 000005